(57)【特許請求の範囲】
【請求項１】
互いに間隔を置いて配置された複数のＬＥＤを有し、各上記ＬＥＤからの光をかご内に照射する光源装置、及び
各上記ＬＥＤよりも上記かごの内側に配置され、各上記ＬＥＤから上記かご内への光を散乱させる照明カバー
を備え、
各上記ＬＥＤは、光軸に対する角度が２０度以下である領域内において、上記光軸上での光度に対する相対光度が８０％以上となる指向特性を有しており、
各上記ＬＥＤ間のピッチＸ（ｍｍ）と、各上記ＬＥＤ及び上記照明カバー間の距離Ｙ（ｍｍ）との関係は、Ｙ≧０．９Ｘ＋９を満たす関係であり、
上記照明カバーの光の透過率は、４５〜６０％の範囲内であることを特徴とするエレベータのかご内照明装置。
【請求項２】
上記光源装置は、放熱用の取付板を介してかご天井に取り付けられていることを特徴とする請求項１に記載のエレベータのかご内照明装置。
【発明の詳細な説明】
【技術分野】
【０００１】
この発明は、ＬＥＤの発光によりかご内の照明を行うエレベータのかご内照明装置に関するものである。
【背景技術】
【０００２】
従来、長寿命化や省エネ化を図るために、複数のＬＥＤを発光させてかご内の照明を行うエレベータのかご内照明装置が知られている。各ＬＥＤは、光を拡散させる保護板により、まとめて覆われている（特許文献１参照）。
【先行技術文献】
【特許文献】
【０００３】
【特許文献１】特開２００４−３３８８２５号公報
【発明の概要】
【発明が解決しようとする課題】
【０００４】
しかし、ＬＥＤの指向性は、通常の蛍光灯等に比べて極めて強い指向性となっているので、各ＬＥＤからの光を保護板によって拡散させたとしても、保護板の位置によっては、各ＬＥＤの配置に応じた明暗が保護板に明確に生じてしまい、保護板全体が均等に光っているかのような柔らかい印象を与える意匠とすることができなくなってしまう。これにより、照明装置の意匠性が低下してしまう。【０００５】
この発明は、上記のような課題を解決するためになされたものであり、意匠性の向上を図ることができるエレベータのかご内照明装置を得ることを目的とする。
【課題を解決するための手段】
【０００６】
この発明によるエレベータのかご内照明装置は、互いに間隔を置いて配置された複数のＬＥＤを有し、各ＬＥＤからの光をかご内に照射する光源装置、及び各ＬＥＤよりもかごの内側に配置され、各ＬＥＤからかご内への光を散乱させる照明カバーを備え、各ＬＥＤは、光軸に対する角度が２０度以下である領域内において、光軸上での光度に対する相対光度が８０％以上となる指向特性を有しており、各ＬＥＤ間のピッチＸ（ｍｍ）と、各ＬＥＤ及び照明カバー間の距離Ｙ（ｍｍ）との関係は、Ｙ≧０．９Ｘ＋９を満たす関係である。
【発明の効果】
【０００７】
この発明によるエレベータのかご内照明装置では、光軸に対する角度が２０度以下である領域内で相対光度が８０％以上となる指向特性を各ＬＥＤが持ち、各ＬＥＤ間のピッチＸ（ｍｍ）と、各ＬＥＤ及び照明カバー間の距離Ｙ（ｍｍ）との関係が、Ｙ≧０．９Ｘ＋９を満たす関係であるので、互いに隣り合うＬＥＤについて光度の高い範囲同士が重なることを避けながら、光度の低い範囲同士を重ねることができ、照明カバーの位置での光度を均等に近づけることができる。従って、照明カバーにおいて明暗が生じることを抑制することができ、照明カバー全体が均等に光っているかのような柔らかい印象を与える意匠に近づけることができる。これにより、照明装置の意匠性の向上を図ることができる。また、各ＬＥＤの指向特性が一般のＬＥＤの指向特性の範囲内に設定されているので、各ＬＥＤのコストの低減化を図ることができる。
【図面の簡単な説明】
【０００８】
【図１】この発明の実施の形態１によるエレベータのかごを示す縦断面図である。
【図２】図１のかご天井を示す縦断面図である。
【図３】図１のかご内からかご天井を見たときの正面図である。
【図４】図３のかご天井から照明カバーを取り外したときの状態を示す正面図である。
【図５】図４のＬＥＤユニットを示す正面図である。
【図６】図２の照明装置を示す拡大図である。
【図７】図６の照明カバーでの意匠性の評価、各ＬＥＤ間のピッチＸ（ｍｍ）、及び各ＬＥＤ及び照明カバー間の距離Ｙ（ｍｍ）のそれぞれの関係を示すグラフである。
【発明を実施するための形態】
【０００９】
以下、この発明の好適な実施の形態について図面を参照して説明する。
実施の形態１．
図１は、この発明の実施の形態１によるエレベータのかごを示す縦断面図である。図において、かご１は、かご床２と、かご床２の縁部に立てられたかご壁３と、かご床２の上方に配置され、かご壁３に支持されたかご天井４とを有している。かご壁３の一部には、かご出入口（図示せず）が設けられている。
【００１０】
図２は、図１のかご天井４を示す縦断面図である。また、図３は、図１のかご１内からかご天井４を見たときの正面図である。さらに、図４は、図３のかご天井４から照明カバーを取り外したときの状態を示す正面図である。図において、かご天井４は、開口部５が設けられた天井パネル６と、開口部５の上方（即ち、開口部５よりもかご１の外側の位置）に配置され、天井パネル６に取り付けられた天蓋（照明ボックス）７（図２）とを有している。また、かご天井４には、かご１内の照明を行うかご内照明装置（以下、単に「照明装置」という）８が設けられている。
【００１１】
天井パネル６の中央部には、図２に示すように、かご１の内側へ窪んだ凹部９が設けられている。また、天井パネル６は、凹部９の周囲に水平に配置された天井上板部１０と、天井上板部１０よりも低い位置に配置され、凹部９の底面を形成する天井下板部１１と、天井上板部１０及び天井下板部１１間を結び、凹部９の内側面を形成する天井垂直板部１２とを有している。開口部５は、天井下板部１１に設けられている。この例では、開口部５の形状は、図３及び図４に示すように、縦寸法が６００（ｍｍ）、横寸法が６００（ｍｍ）の正方形とされている。
【００１２】
天蓋７は、凹部９内に配置されている。また、天蓋７は、天井下板部１１に取り付けられた縁部１３と、縁部１３の上端部に設けられ、開口部５の上方で水平に配置された板状の天蓋本体１４とを有している。なお、この例では、凹部９の深さ寸法が５０（ｍｍ）とされている。
【００１３】
照明装置８は、放熱用の取付板１５を介して天蓋本体１４にそれぞれ取り付けられた複数（この例では、９個）のＬＥＤユニット（光源装置）１６と、各ＬＥＤユニット１６の下方（即ち、各ＬＥＤユニット１６よりもかご１の内側の位置）に配置され、開口部５を塞ぐ照明カバー１７とを有している。
【００１４】
各ＬＥＤユニット１６は、天蓋本体１４に沿って水平方向へ並べられている。また、各ＬＥＤユニット１６は、図４に示すように、かご１内から見たときに開口部５の範囲内に収まるように配置されている。この例では、開口部５の縦方向に３列、開口部５の横方向に３列の合計９個のＬＥＤユニット１６が均等に配置されている。
【００１５】
各ＬＥＤユニット１６は、図２に示すように、共通の取付板１５を介して天蓋本体１４に取り付けられている。取付板１５の材料としては、例えば、アルミニウム等の金属や熱伝導率の高い樹脂等が用いられている。各ＬＥＤユニット１６で発生した熱は、取付板１５を通して天蓋７へ伝わり、外気へ放散される。
【００１６】
ここで、図５は、図４のＬＥＤユニット１６を示す正面図である。各ＬＥＤユニット１６は、基板１８と、基板１８に搭載された複数のＬＥＤ１９とを有している。
【００１７】
基板１８には、ＬＥＤユニット１６を取付板１５にねじで取り付けるための複数の取付穴２０と、各ＬＥＤ１９に電気的に接続された抵抗２１とが設けられている。また、基板１８には、電源及びＬＥＤユニット１６間の電気的接続と、各ＬＥＤユニット１６間の電気的接続とを個別に行うための複数のコネクタ２２も設けられている。
【００１８】
各ＬＥＤ１９は、給電を受けることにより発光する。各ＬＥＤ１９からの光は、照明カバー１７を通ってかご１内に照射される。また、各ＬＥＤ１９は、基板１８の表面（即ち、天蓋本体１４に沿った共通の平面（所定の平面））に沿って互いに間隔を置いて配置されている。各ＬＥＤ１９は、等間隔に配置されている。
【００１９】
この例では、基板１８の形状は、縦寸法が１９８（ｍｍ）、横寸法が１９８（ｍｍ）の正方形とされている。また、この例では、基板１８の縦方向に６列、基板１８の横方向に６列の合計３６個のＬＥＤ１９が共通の基板１８に搭載されている。共通の基板１８に搭載された各ＬＥＤ１９間の間隔（ピッチ）Ｘ（ｍｍ）は、３３．５（ｍｍ）とされている。また、共通の基板１８に搭載された各ＬＥＤ１９のうち、基板１８の最外郭に配置されたＬＥＤ１９と基板１８の縦辺又は横辺との間の距離Ａ（ｍｍ）は、各ＬＥＤ１９間のピッチのほぼ半分の距離、即ち１５．７（ｍｍ）とされている。これにより、互いに隣り合う基板１８の最外郭にそれぞれ配置されたＬＥＤ１９間のピッチも、共通の基板１８に搭載された各ＬＥＤ１９間のピッチと同一のピッチ、即ち３３．５（ｍｍ）になっている。
【００２０】
照明カバー１７は、透光性を持つ平板である。また、照明カバー１７は、図２に示すように、各基板１８と平行に配置されている。従って、各ＬＥＤ１９のいずれについても、照明カバー１７との間の距離が同一の距離とされている。さらに、照明カバー１７は、各ＬＥＤ１９からかご１内への光を散乱させる。これにより、各ＬＥＤ１９からの光によって照明カバー１７に生じる明暗の境界が曖昧になる。
【００２１】
照明カバー１７は、透明又は半透明の材料（例えば樹脂やガラス等）により構成されている。また、この例では、照明カバー１７の色が乳白色とされている。
【００２２】
図６は、図２の照明装置８を示す拡大図である。各ＬＥＤ１９の光軸は、互いに平行になっている。また、各ＬＥＤ１９の光軸は、照明カバー１７に対してそれぞれ垂直になっている。
【００２３】
ＬＥＤ１９からの光は、光軸に対して７５度以下の領域内で照射される。即ち、各ＬＥＤ１９からの光の拡散角は、１３０度となっている。また、光度は、ＬＥＤ１９の光軸上で最も高く、光軸上から周辺に向かうほど連続的に低下する。この例では、光軸上での光度を１００％とすると、８０％以上の光度となる領域は、光軸に対する角度が２０度以下の領域（即ち、光軸を中心とする４０度の角度領域内）とされている。即ち、各ＬＥＤ１９は、光軸に対する角度が２０度以下の領域内において、光軸上での光度に対する光度の比率（相対光度）が８０％以上となる指向特性を有している。
【００２４】
ここで、仮に各ＬＥＤ１９及び照明カバー１７間の距離Ｙ（ｍｍ）が一定である場合、各ＬＥＤ１９間のピッチＸ（ｍｍ）を小さくしすぎると、互いに隣り合うＬＥＤ１９からの光が重なり合って、照明カバー１７での光斑（明暗）の程度が大きくなってしまう。逆に、各ＬＥＤ１９間のピッチＸ（ｍｍ）を大きくしすぎても、互いに隣り合うＬＥＤ１９からの光の範囲が独立してしまい、照明カバー１７での光斑（明暗）の程度が大きくなってしまう。従って、各ＬＥＤ１９間のピッチＸ（ｍｍ）が小さすぎても大きすぎても、意匠性が低下してしまう。
【００２５】
そこで、各ＬＥＤ１９間のピッチＸ（ｍｍ）と、各ＬＥＤ１９及び照明カバー１７間の距離Ｙとを変化させながら、照明カバー１７における意匠性の評価（光の明暗の程度の評価）を行った。
【００２６】
図７は、図６の照明カバー１７での意匠性の評価、各ＬＥＤ１９間のピッチＸ（ｍｍ）、及び各ＬＥＤ１９及び照明カバー１７間の距離Ｙ（ｍｍ）のそれぞれの関係を示すグラフである。なお、図７では、各ＬＥＤ１９間のピッチＸ（ｍｍ）が３３．５（ｍｍ）である場合、及び６０（ｍｍ）である場合のそれぞれの場合について、意匠性の評価が示されている。また、図７において、意匠性の評価は、意匠性が良い場合に○、意匠性がやや劣る場合に△、意匠性が悪い場合に×で示されている。さらに、図７での意匠性の評価は、照明カバー１７の光の透過率が６０％であるときの評価である。
【００２７】
図７に示すグラフから、照明カバー１７での意匠性は、各ＬＥＤ１９間のピッチＸ（ｍｍ）と、各ＬＥＤ１９及び照明カバー１７間の距離Ｙ（ｍｍ）との関係が以下の式（１）を満たすときに、良くなることが分かる。
【００２８】
Ｙ≧０．９Ｘ＋９…（１）
【００２９】
また、意匠性の評価は、照明カバー１７の光の透過率が４５％である場合、６０％である場合及び８０％である場合の３つの場合のそれぞれについて行った。この結果、各ＬＥＤ１９間のピッチＸ（ｍｍ）と各ＬＥＤ１９及び照明カバー１７間の距離Ｙ（ｍｍ）との関係が式（１）を満たす関係にあるときに、照明カバー１７の光の透過率が４５％及び６０％である場合は意匠性が良かったが、照明カバー１７の光の透過率が８０％である場合は各ＬＥＤ１９の姿が判別されるようになり意匠性が低下した。従って、照明カバー１７での意匠性が良くなるためには、照明カバー１７の光の透過率が少なくとも４５〜６０％の範囲内である必要がある。
【００３０】
さらに、照明カバー１７での意匠性は、ＬＥＤ１９の１つ当たりの光束値を５〜３０（ｌｍ（ルーメン））の範囲で変化させても、変わらずにそのまま維持された。従って、照明カバー１７での意匠性は、ＬＥＤ１９の１つ当たりの光束値に関係なく決まることが分かる。即ち、経年変化によってＬＥＤ１９の光度が落ちても、照明カバー１７での意匠性が維持され、照明カバー１７での光斑の程度の悪化が抑制されることが分かる。なお、ＬＥＤ１９については、１つ当たりの光束値が５（ルーメン）よりも低くなる前に交換されることが通常である。
【００３１】
この例では、各ＬＥＤ１９間のピッチＸ（ｍｍ）が３３．５（ｍｍ）とされ、各ＬＥＤ１９及び照明カバー１７間の距離Ｙ（ｍｍ）が４０（ｍｍ）とされている。即ち、この例では、各ＬＥＤ１９間のピッチＸ（ｍｍ）と、各ＬＥＤ１９及び照明カバー１７間の距離Ｙ（ｍｍ）との関係が式（１）を満たす関係となっている。
【００３２】
なお、各ＬＥＤ１９と照明カバー１７との間にレンズを配置してＬＥＤからの光の拡散角を広げることにより、照明カバー１７を各ＬＥＤ１９に近づけて配置することも考えられるが、レンズによる光の回折等の影響により光斑が生じたり照度が低下したりするので、意匠性の向上には限界がある。
【００３３】
このようなエレベータのかご内照明装置では、光軸に対する角度が２０度以下である領域内で相対光度が８０％以上となる指向特性を各ＬＥＤ１９が持ち、各ＬＥＤ１９間のピッチＸ（ｍｍ）と、各ＬＥＤ１９及び照明カバー１７間の距離Ｙ（ｍｍ）との関係が、Ｙ≧０．９Ｘ＋９を満たす関係であるので、互いに隣り合うＬＥＤ１９について光度の高い範囲同士が重なることを避けることができ、照明カバー１７の位置での光度を均等に近づけることができる。従って、照明カバー１７において明暗が生じることを抑制することができ、照明カバー１７全体が均等に光っているかのような柔らかい印象を与える意匠に近づけることができる。これにより、照明装置８の意匠性の向上を図ることができる。また、各ＬＥＤ１９の指向特性が一般のＬＥＤの指向特性の範囲内に設定されているので、各ＬＥＤ１９のコストの低減化を図ることができる。
【００３４】
また、ＬＥＤユニット１６は、放熱用の取付板１５を介して天蓋７に取り付けられているので、ＬＥＤユニット１６を天蓋７に取り付ける機能と、ＬＥＤユニット１６からの熱を放散する機能とを取付板１５で兼用させることができる。これにより、部品点数の低減化を図ることができる。また、複数のＬＥＤユニット１６をあらかじめ取り付けておいた共通の取付板１５を天蓋７に取り付けることにより、天蓋７へのＬＥＤユニット１６の取り付け作業も容易にすることができる。
【００３５】
なお、上記の例では、照明装置８がかご天井４のみに設けられているが、かご壁３及びかご床２の少なくともいずれかに照明装置８を設けてもよい。
【符号の説明】
【００３６】
１  かご、４  かご天井、８  照明装置、１５  取付板、１６  ＬＥＤユニット（光源装置）、１７  照明カバー、１９  ＬＥＤ。
【図１】
0005425297.tif 000002
【図２】
0005425297.tif 000003
【図３】
0005425297.tif 000004
【図４】
0005425297.tif 000005
【図５】
0005425297.tif 000006
【図６】
0005425297.tif 000007
【図７】
0005425297.tif 000008